(57)【要約】      （修正有）【課題】略枠状両面粘着テープが貼着された長尺シートの製造方法。【解決手段】第１工程：２本以上の両面粘着テープが並行に貼着された長尺シートと、２本以上の両面粘着テープが並行に貼着された矩形シートとを、両面粘着テープが存在する面とが互いに向き合うように、かつ角度を略９０°に交差させる工程と、第２工程：矩形シートを、長尺シートに圧接する工程と、第３工程：長尺シートの略枠状両面粘着テープの対応する２つの枠辺の間隔に相当する間隔で隣り合う２本の両面粘着テープと前記矩形シートの略枠状両面粘着テープの対応する２つの枠辺の間隔に相当する間隔で隣り合う２本の両面粘着テープとからなる略井の字形両面粘着テープのうちの略ロの字部分の外周と内周の中間部に、矩形シートを通して略ロの字状の切込みを入れる工程と、第４工程：該切込みの外側に存在する矩形シートおよび該両面粘着テープを除去する工程と、からなる。【選択図】なし【特許請求の範囲】
【請求項１】
第１工程：
（ア）長尺基材シート上に、２本以上の両面粘着テープが、最終的に形成される略枠状両面粘着テープの対応する２つの枠辺の間隔に相当する間隔で並行に貼着された長尺シートＡ、または
（イ）長尺基材シート上に、最終的に形成される略枠状両面粘着テープの対応する２つの枠辺の間隔に相当する間隔を有する２本一組の両面粘着テープが任意の間隔で複数並行に貼着された長尺シートＡと、
（ウ）長尺基材シート上に、２本以上の両面粘着テープが、最終的に形成される略枠状両面粘着テープの対応する２つの枠辺の間隔に相当する間隔で並行に貼着された長尺シートＢ、または
（エ）長尺基材シート上に、最終的に形成される略枠状両面粘着テープの対応する２つの枠辺の間隔に相当する間隔を有する２本一組の両面粘着テープが任意の間隔で複数並行に貼着された長尺シートＢとを、
長尺シートＡの両面粘着テープが存在する面と長尺シートＢの両面粘着テープが存在する面とが向き合うように、かつ長尺シートＡと長尺シートＢとが略Ｔ字形、または略十字形となるように、長尺シートＡの側方から長尺シートＢを交差させる工程と、
第２工程：前記交差位置における長尺シートＡの端辺沿い若しくは両端辺沿いに、長尺シートＢを切断し、該切断により形成された長尺シートＢの矩形切断片を、長尺シートＡに圧接する工程、
又は、長尺シートＢの長尺シートＡへの交差部分を長尺シートＡに圧接し、該交差位置における長尺シートＡの端辺沿い又は両端辺沿いに、長尺シートＢを切断して、長尺シートＢの矩形切断片を形成する工程と、
第３工程：
長尺シートＡの最終的に形成される略枠状両面粘着テープの対応する２つの枠辺の間隔に相当する間隔で隣り合う２本の両面粘着テープと、長尺シートＢの矩形切断片の最終的に形成される略枠状両面粘着テープの対応する２つの枠辺の間隔に相当する間隔で隣り合う２本の両面粘着テープと、からなる略井の字形両面粘着テープのうちの略ロの字部分の外周または外周と内周の中間部に、長尺シートＢ由来の矩形切断片を通して略ロの字状の切込みを入れる工程と、
第４工程：長尺シートＢの矩形切断片のうちの該切込みの外側に存在する部分および該両面粘着テープのうちの該切込みの外側に存在する部分を除去する工程と、
からなることを特徴とする、略枠状両面粘着テープが貼着された長尺シートの製造方法。
【請求項２】
前記第１工程において、長尺シートＢを、長尺シートＡの幅以上寸動させることにより、長尺シートＡに交差させ；該寸動の停止後に前記第２工程を実施し；次いで長尺シートＡを長尺シートＢの幅以上寸動させて、寸動した位置で第３工程を実施し；次いで第４工程を実施するという作業を繰り返すことを特徴とする、請求項１記載の略枠状両面粘着テープが貼着された長尺シートの製造方法。
【請求項３】
前記第１工程において、長尺シートＢを、長尺シートＡの幅以上寸動させることにより、長尺シートＡに交差させ；該寸動の停止後に前記第２工程を実施し；次いで長尺シートＡを長尺シートＢの幅以上寸動させて、寸動した位置で第３工程を実施するという作業を繰り返し；所望回数の繰り返しの後に第４工程を実施することを特徴とする、請求項１記載の略枠状両面粘着テープが貼着された長尺シートの製造方法。
【請求項４】
長尺シートＡの最終的に形成される略枠状両面粘着テープの対応する２つの枠辺の間隔に相当する間隔で隣り合う２本の両面粘着テープと、長尺シートＢの最終的に形成される略枠状両面粘着テープの対応する２つの枠辺の間隔に相当する間隔で隣り合う２本の両面粘着テープとの各交差位置において、交差する２本の両面粘着テープの内の１本又は２本が、該交差位置の内側辺に凹部（ただし、１本が凹部を有するときは、交差する２本の両面粘着テープの内側辺同士の交差点に接しており、２本が凹部を有するときは、少なくとも一つの凹部が交差する２本の両面粘着テープの内側辺同士の交差点に接している）を有しており、略ロの字状の切込みを入れる際に、交差する２本の両面粘着テープの重複部分、又は、交差する他の両面粘着テープ部分及び交差する２本の両面粘着テープの重複部分を含まないように略ロの字状の切込みを入れることを特徴とする、請求項１〜請求項３いずれか１項記載の略枠状両面粘着テープが貼着された長尺シートの製造方法。
【請求項５】
長尺シートＡの最終的に形成される略枠状両面粘着テープの対応する２つの枠辺の間隔に相当する間隔で隣り合う２本の両面粘着テープ、及び、長尺シートＢの最終的に形成される略枠状両面粘着テープの対応する２つの枠辺の間隔に相当する間隔で隣り合う２本の両面粘着テープのうちの１本は、その外側辺（ただし、該隣り合う２本の両面粘着テープと他の長尺シートの両面粘着テープとの交差部間の外側辺）に凹部を有しており、又は他の長尺シートの両面粘着テープとの交差部間に矩形の穴を有しており、略ロの字状の切込みは突出片形成部を有しており、略ロの字状の切込みを入れる際に、該突出片形成部が該凹部又は矩形の穴の周辺の両面粘着テープに掛からないように切込みを入れることを特徴とする、請求項１〜請求項４のいずれか１項記載の略枠状両面粘着テープが貼着された長尺シートの製造方法。
【請求項６】
第１工程：
（ア）長尺基材シート上に、２本以上の両面粘着テープが、最終的に形成される略枠状両面粘着テープの対応する２つの枠辺の間隔に相当する間隔で並行に貼着された長尺シートＡ、または
（イ）長尺基材シート上に、最終的に形成される略枠状両面粘着テープの対応する２つの枠辺の間隔に相当する間隔を有する２本一組の両面粘着テープが任意の間隔で複数並行に貼着された長尺シートＡと、
（ウ）長尺基材シート上に、２本以上の両面粘着テープが、最終的に形成される略枠状両面粘着テープの対応する２つの枠辺の間隔に相当する間隔で並行に貼着されており、長さが長尺シートＡの幅程度である矩形シートＣ、または
（エ）長尺基材シート上に、最終的に形成される略枠状両面粘着テープの対応する２つの枠辺の間隔に相当する間隔を有する２本一組の両面粘着テープが任意の間隔で複数並行に貼着されており、長さが長尺シートＡの幅程度である矩形シートＣとを、
長尺シートＡの両面粘着テープが存在する面と矩形シートＣの両面粘着テープが存在する面とが向き合うように、かつ長尺シートＡの両面粘着テープと矩形シートＣの両面粘着テープの交差角度が略９０°となるように交差させる工程と、
第２工程：矩形シートＣを、長尺シートＡに圧接する工程と、
第３工程：長尺シートＡの最終的に形成される略枠状両面粘着テープの対応する２つの枠辺の間隔に相当する間隔で隣り合う２本の両面粘着テープと、前記矩形シートＣの最終的に形成される略枠状両面粘着テープの対応する２つの枠辺の間隔に相当する間隔で隣り合う２本の両面粘着テープと、からなる略井の字形両面粘着テープのうちの略ロの字部分の外周または外周と内周の中間部に、矩形シートＣを通して略ロの字状の切込みを入れる工程と、
第４工程：矩形シートＣのうちの該切込みの外側に存在する部分および該両面粘着テープのうちの該切込みの外側に存在する部分を除去する工程と、
からなることを特徴とする、略枠状両面粘着テープが貼着された長尺シートの製造方法。
【請求項７】
前記第１工程を実施し；次いで前記第２工程を実施し；次いで長尺シートＡを矩形シートＣの幅以上寸動させて、寸動した位置で第３工程を実施し；次いで第４工程を実施するという作業を繰り返すことを特徴とする、請求項６記載の略枠状両面粘着テープが貼着された長尺シートの製造方法。
【請求項８】
前記第１工程を実施し；次いで前記第２工程を実施し；次いで長尺シートＡを矩形シートＣの幅以上寸動させて、寸動した位置で第３工程を実施するという作業を繰り返し；所望回数の繰り返しの後に第４工程を実施することを特徴とする、請求項６記載の略枠状両面粘着テープが貼着された長尺シートの製造方法。
【請求項９】
長尺シートＡの最終的に形成される略枠状両面粘着テープの対応する２つの枠辺の間隔に相当する間隔で隣り合う２本の両面粘着テープと、矩形シートＣの最終的に形成される略枠状両面粘着テープの対応する２つの枠辺の間隔に相当する間隔で隣り合う２本の両面粘着テープとの各交差位置において、交差する２本の両面粘着テープの内の１本又は２本が、該交差位置の内側辺に凹部（ただし、１本が凹部を有するときは、交差する２本の両面粘着テープの内側辺同士の交差点に接しており、２本が凹部を有するときは、少なくとも一つの凹部が交差する２本の両面粘着テープの内側辺同士の交差点に接している）を有しており、略ロの字状の切込みを入れる際に、交差する２本の両面粘着テープの重複部分、又は、交差する他の両面粘着テープ部分及び交差する２本の両面粘着テープの重複部分を含まないように略ロの字状の切込みを入れることを特徴とする、請求項６〜請求項８いずれか１項記載の略枠状両面粘着テープが貼着された長尺シートの製造方法。
【請求項１０】
長尺シートＡの最終的に形成される略枠状両面粘着テープの対応する２つの枠辺の間隔に相当する間隔で隣り合う２本の両面粘着テープ、及び、矩形シートＣの最終的に形成される略枠状両面粘着テープの対応する２つの枠辺の間隔に相当する間隔で隣り合う２本の両面粘着テープのうちの１本は、その外側辺（ただし、該隣り合う２本の両面粘着テープと他の長尺シートの両面粘着テープとの交差部間の外側辺）に凹部を有しており、又は他の長尺シートの両面粘着テープとの交差部間に矩形の穴を有しており、略ロの字状の切込みは突出片形成部を有しており、略ロの字状の切込みを入れる際に、該突出片形成部が該凹部又は矩形の穴の周辺の両面粘着テープに掛からないように切込みを入れることを特徴とする、請求項６〜請求項９のいずれか１項記載の略枠状両面粘着テープが貼着された長尺シートの製造方法。
【請求項１１】
各略枠状両面粘着テープの４本の枠辺のうちの少なくとも１本の枠辺が、他の枠辺とは、特性、形状及び材質のうちの少なくとも１つにおいて異なることを特徴とする、略枠状両面粘着テープが貼着された長尺シート又は矩形シート。
【請求項１２】
各略枠状両面粘着テープは、４隅のうちの少なくとも１つの隅で途切れていることを特徴とする、略枠状両面粘着テープが貼着された長尺シート又は矩形シート。
【請求項１３】
略枠状両面粘着テープに剥離性シートが貼着されていることを特徴とする、請求項１１又は請求項１２記載の略枠状両面粘着テープが貼着された長尺シート又は矩形シート。
【請求項１４】
各略枠状両面粘着テープの枠辺の４隅のうちの少なくとも１つの隅で途切れている略枠状両面粘着テープにより、少なくとも２つの部材が粘着されていることを特徴とする、液晶表示装置。
【請求項１５】
略枠状両面粘着テープの４本の枠辺のうちの少なくとも１本の枠辺が、他の枠辺とは、特性、形状及び材質のうちの少なくとも１つにおいて異なる略枠状両面粘着テープにより、少なくとも２つの部材が粘着されていることを特徴とする、液晶表示装置。
【請求項１６】
２つの部材が、液晶モジュールと金属フレーム、液晶モジュールと液晶表示装置の筐体、液晶パネルとバックライトユニット、バックライトユニットと金属フレーム、レンズシートと拡散シート、レンズシートとレンズシート、拡散シートと拡散シート、拡散シートと導光板、導光板と導光板、光学フィルムと導光板、光学フィルムと光学フィルム、導光板とモールド、導光板と反射シート、反射シートと反射シート、レンズシートとモールド、拡散シートとモールド、光学フィルムとモールド、反射シートとモールド、モールドと金属フレーム、反射シートと金属フレーム、液晶表示装置の筐体とモールド、液晶表示装置の筐体と金属フレーム、カバーウィンドウと液晶表示装置の筐体、保護フィルムと液晶パネル、又は保護フィルムと保護フィルムであることを特徴とする、請求項１４または請求項１５記載の液晶表示装置。
【発明の詳細な説明】
【技術分野】
【０００１】
本発明は、携帯電話器、携帯式ゲーム機、デジタルカメラ等の小型〜中型の液晶表示装置及びその部品の製造に有用な略枠状両面粘着テープが貼着された長尺シートの製造方法、略枠状両面粘着テープが貼着された長尺シート又は矩形シート及び略枠状両面粘着テープにより部材が粘着された液晶表示装置に関わる。
【背景技術】
【０００２】
この種の枠状両面粘着テープの製造方法は、例えば特許文献１（特開２００５−１２６６４３号公報）に開示されている。
【０００３】
この枠状両面粘着テープの製造方法は、
片面に剥離シートが貼着されている両面粘着テープを巻き出し、剥離シートを剥離する剥離シート剥離工程と、
前記剥離シート剥離工程において剥離シートを剥ぎ取った両面粘着テープを基材シートに貼付する基材シート貼付工程と、
前記両面粘着テープの目的物の形状に合わせて枠内径に沿って両面粘着テープを切り取って該両面粘着テープを前記基材シートから除去する枠内両面粘着テープ除去工程と、
前記両面粘着テープの目的物の形状に合わせて枠外径に沿って両面粘着テープを切り取って枠状の両面粘着テープを形成する枠状両面粘着テープ形成工程と，
前記枠状両面粘着テープ形成工程において形成した枠状粘着テープを覆う表面剥離シートを貼付する表面剥離シート貼付工程と、
を備えている。
なお詳細には、特許文献１の段落００４２〜段落００４７および図８に示されている。
【０００４】
しかし、上記製造方法によれば、枠内両面粘着テープ除去工程において、目的物の形状に合わせて枠内径に沿って両面粘着テープを切り取ることにより該両面粘着テープを基材シートから除去する。つまり、液晶画面の表示窓の面積分の両面粘着テープを除去するため、枠状両面粘着テープの主材料である両面粘着テープの廃棄量が多く、生産コストが増大するという問題がある。また、枠状の各辺が元々同一の両面粘着テープから形成されるため、枠状両面粘着テープの枠辺の４隅が繋がっており、各辺の特性、形状、材質を変えることができず、各枠辺への異なる要求に対応できないという問題がある。例えば、一の枠辺は白くして光を反射するようにし、他の枠辺は黒くして遮光するなどの態様をとることができないという問題がある。
【０００５】
【特許文献１】特開２００５−１２６６４３号公報
【発明の開示】
【発明が解決しようとする課題】
【０００６】
本発明は、上記問題を解決すべくなされたものであり、その目的は、
（１）主材料である両面粘着テープの廃棄量を少なくできる、略枠状両面粘着テープが貼着された長尺シートの製造方法、
（２）略枠状両面粘着テープの複数の枠辺のうち、少なくとも１つの枠辺が、他の枠辺とは、特性、形状及び材質のうち少なくとも１つにおいて異なる、略枠状両面粘着テープが貼着された長尺シートの製造方法、
（３）略枠状両面粘着テープは、４隅のうちの少なくとも１つの隅で途切れている、略枠状両面粘着テープが貼着された長尺シート又は矩形シート
（４）略枠状両面粘着テープの複数の枠辺のうち、少なくとも１つの枠辺が、他の枠辺とは、特性、形状及び材質のうち少なくとも１つにおいて異なる、略枠状両面粘着テープが貼着された長尺シート又は矩形シート、及び
（５）上記略枠状両面粘着テープにより部材が粘着された液晶表示装置
を提供することにある。
【課題を解決するための手段】
【０００７】
本発明は、
「［１］第１工程：
（ア）長尺基材シート上に、２本以上の両面粘着テープが、最終的に形成される略枠状両面粘着テープの対応する２つの枠辺の間隔に相当する間隔で並行に貼着された長尺シートＡ、または
（イ）長尺基材シート上に、最終的に形成される略枠状両面粘着テープの対応する２つの枠辺の間隔に相当する間隔を有する２本一組の両面粘着テープが任意の間隔で複数並行に貼着された長尺シートＡと、
（ウ）長尺基材シート上に、２本以上の両面粘着テープが、最終的に形成される略枠状両面粘着テープの対応する２つの枠辺の間隔に相当する間隔で並行に貼着された長尺シートＢ、または
（エ）長尺基材シート上に、最終的に形成される略枠状両面粘着テープの対応する２つの枠辺の間隔に相当する間隔を有する２本一組の両面粘着テープが任意の間隔で複数並行に貼着された長尺シートＢとを、
長尺シートＡの両面粘着テープが存在する面と長尺シートＢの両面粘着テープが存在する面とが向き合うように、かつ長尺シートＡと長尺シートＢとが略Ｔ字形、または略十字形となるように、長尺シートＡの側方から長尺シートＢを交差させる工程と、
第２工程：前記交差位置における長尺シートＡの端辺沿い若しくは両端辺沿いに、長尺シートＢを切断し、該切断により形成された長尺シートＢの矩形切断片を、長尺シートＡに圧接する工程、
又は、長尺シートＢの長尺シートＡへの交差部分を長尺シートＡに圧接し、該交差位置における長尺シートＡの端辺沿い又は両端辺沿いに、長尺シートＢを切断して、長尺シートＢの矩形切断片を形成する工程と、
第３工程：
長尺シートＡの最終的に形成される略枠状両面粘着テープの対応する２つの枠辺の間隔に相当する間隔で隣り合う２本の両面粘着テープと、長尺シートＢの矩形切断片の最終的に形成される略枠状両面粘着テープの対応する２つの枠辺の間隔に相当する間隔で隣り合う２本の両面粘着テープと、からなる略井の字形両面粘着テープのうちの略ロの字部分の外周または外周と内周の中間部に、長尺シートＢ由来の矩形切断片を通して略ロの字状の切込みを入れる工程と、
第４工程：長尺シートＢの矩形切断片のうちの該切込みの外側に存在する部分および該両面粘着テープのうちの該切込みの外側に存在する部分を除去する工程と、
からなることを特徴とする、略枠状両面粘着テープが貼着された長尺シートの製造方法。
［１−１］第３工程における切込みは、該略井の字形両面粘着テープのうちの略ロの字部分の外周と内周の中間の大きさの略ロの字状刃物を、長尺シートＢ由来の矩形切断片側から押し当てることによることを特徴とする、［１］記載の略枠状両面粘着テープが貼着された長尺シートの製造方法。
［１−２］略枠状両面粘着テープに剥離性シートが貼着されていることを特徴とする、［１］又は［１−１］記載の略枠状両面粘着テープが貼着された長尺シートの製造方法。
［２］前記第１工程において、長尺シートＢを、長尺シートＡの幅以上寸動させることにより、長尺シートＡに交差させ；該寸動の停止後に前記第２工程を実施し；次いで長尺シートＡを長尺シートＢの幅以上寸動させて、寸動した位置で第３工程を実施し；次いで第４工程を実施するという作業を繰り返すことを特徴とする、［１］〜［１−２］のいずれかに記載の略枠状両面粘着テープが貼着された長尺シートの製造方法。
［３］前記第１工程において、長尺シートＢを、長尺シートＡの幅以上寸動させることにより、長尺シートＡに交差させ；該寸動の停止後に前記第２工程を実施し；次いで長尺シートＡを長尺シートＢの幅以上寸動させて、寸動した位置で第３工程を実施するという作業を繰り返し；所望回数の繰り返しの後に第４工程を実施することを特徴とする、［１］〜［１−２］のいずれかに記載の略枠状両面粘着テープが貼着された長尺シートの製造方法。
［４］長尺シートＡの最終的に形成される略枠状両面粘着テープの対応する２つの枠辺の間隔に相当する間隔で隣り合う２本の両面粘着テープと、長尺シートＢの最終的に形成される略枠状両面粘着テープの対応する２つの枠辺の間隔に相当する間隔で隣り合う２本の両面粘着テープとの各交差位置において、交差する２本の両面粘着テープの内の１本又は２本が、該交差位置の内側辺に凹部（ただし、１本が凹部を有するときは、交差する２本の両面粘着テープの内側辺同士の交差点に接しており、２本が凹部を有するときは、少なくとも一つの凹部が交差する２本の両面粘着テープの内側辺同士の交差点に接している）を有しており、略ロの字状の切込みを入れる際に、交差する２本の両面粘着テープの重複部分、又は、交差する他の両面粘着テープ部分及び交差する２本の両面粘着テープの重複部分を含まないように略ロの字状の切込みを入れることを特徴とする、［１］〜［３］のいずれかに記載の略枠状両面粘着テープが貼着された長尺シートの製造方法。
［４−１］切込みは、略ロの字状刃物を、長尺シートＢ由来の矩形切断片側から押し当てることによることを特徴とする、［４］記載の略枠状両面粘着テープが貼着された長尺シートの製造方法。
［４−２］略枠状両面粘着テープに剥離性シートが貼着されていることを特徴とする、［４］又は［４−１］記載の略枠状両面粘着テープが貼着された長尺シートの製造方法。
［５］長尺シートＡの最終的に形成される略枠状両面粘着テープの対応する２つの枠辺の間隔に相当する間隔で隣り合う２本の両面粘着テープ、及び、長尺シートＢの最終的に形成される略枠状両面粘着テープの対応する２つの枠辺の間隔に相当する間隔で隣り合う２本の両面粘着テープのうちの１本は、その外側辺（ただし、該隣り合う２本の両面粘着テープと他の長尺シートの両面粘着テープとの交差部間の外側辺）に凹部を有しており、又は他の長尺シートの両面粘着テープとの交差部間に矩形の穴を有しており、略ロの字状の切込みは突出片形成部を有しており、略ロの字状の切込みを入れる際に、該突出片形成部が該凹部又は矩形の穴の周辺の両面粘着テープに掛からないように切込みを入れることを特徴とする、［１］〜［４］のいずれかに記載の略枠状両面粘着テープが貼着された長尺シートの製造方法。
［５−１］切込みは、略ロの字状刃物を、長尺シートＢ由来の矩形切断片側から押し当てることによることを特徴とする、［５］記載の略枠状両面粘着テープが貼着された長尺シートの製造方法。
［５−２］略枠状両面粘着テープに剥離性シートが貼着されていることを特徴とする、［５］又は［５−１］記載の略枠状両面粘着テープが貼着された長尺シートの製造方法。
［６］第１工程：
（ア）長尺基材シート上に、２本以上の両面粘着テープが、最終的に形成される略枠状両面粘着テープの対応する２つの枠辺の間隔に相当する間隔で並行に貼着された長尺シートＡ、または
（イ）長尺基材シート上に、最終的に形成される略枠状両面粘着テープの対応する２つの枠辺の間隔に相当する間隔を有する２本一組の両面粘着テープが任意の間隔で複数並行に貼着された長尺シートＡと、
（ウ）長尺基材シート上に、２本以上の両面粘着テープが、最終的に形成される略枠状両面粘着テープの対応する２つの枠辺の間隔に相当する間隔で並行に貼着されており、長さが長尺シートＡの幅程度である矩形シートＣ、または
（エ）長尺基材シート上に、最終的に形成される略枠状両面粘着テープの対応する２つの枠辺の間隔に相当する間隔を有する２本一組の両面粘着テープが任意の間隔で複数並行に貼着されており、長さが長尺シートＡの幅程度である矩形シートＣとを、
長尺シートＡの両面粘着テープが存在する面と矩形シートＣの両面粘着テープが存在する面とが向き合うように、かつ長尺シートＡの両面粘着テープと矩形シートＣの両面粘着テープの交差角度が略９０°となるように交差させる工程と、
第２工程：矩形シートＣを、長尺シートＡに圧接する工程と、
第３工程：長尺シートＡの最終的に形成される略枠状両面粘着テープの対応する２つの枠辺の間隔に相当する間隔で隣り合う２本の両面粘着テープと、前記矩形シートＣの最終的に形成される略枠状両面粘着テープの対応する２つの枠辺の間隔に相当する間隔で隣り合う２本の両面粘着テープと、からなる略井の字形両面粘着テープのうちの略ロの字部分の外周または外周と内周の中間部に、矩形シートＣを通して略ロの字状の切込みを入れる工程と、
第４工程：矩形シートＣのうちの該切込みの外側に存在する部分および該両面粘着テープのうちの該切込みの外側に存在する部分を除去する工程と、
からなることを特徴とする、略枠状両面粘着テープが貼着された長尺シートの製造方法。
［６−１］第３工程における切込みは、該略井の字形両面粘着テープのうちの略ロの字部分の外周と内周の中間の大きさの略ロの字状刃物を、矩形シートＣ側から押し当てることにより、矩形シートＣと前記略枠状両面粘着テープに切込みを入れることによることを特徴とする、［６］記載の略枠状両面粘着テープが貼着された長尺シートの製造方法。
［６−２］略枠状両面粘着テープに剥離性シートが貼着されていることを特徴とする、［６］又は［６−１］記載の略枠状両面粘着テープが貼着された長尺シートの製造方法。
［７］前記第１工程を実施し；次いで前記第２工程を実施し；次いで長尺シートＡを矩形シートＣの幅以上寸動させて、寸動した位置で第３工程を実施し；次いで第４工程を実施するという作業を繰り返すことを特徴とする、［６］記載の略枠状両面粘着テープが貼着された長尺シートの製造方法。
［８］前記第１工程を実施し；次いで前記第２工程を実施し；次いで長尺シートＡを矩形シートＣの幅以上寸動させて、寸動した位置で第３工程を実施するという作業を繰り返し；所望回数の繰り返しの後に第４工程を実施することを特徴とする、［６］記載の略枠状両面粘着テープが貼着された長尺シートの製造方法。
［９］長尺シートＡの最終的に形成される略枠状両面粘着テープの対応する２つの枠辺の間隔に相当する間隔で隣り合う２本の両面粘着テープと、矩形シートＣの最終的に形成される略枠状両面粘着テープの対応する２つの枠辺の間隔に相当する間隔で隣り合う２本の両面粘着テープとの各交差位置において、交差する２本の両面粘着テープの内の１本又は２本が、該交差位置の内側辺に凹部（ただし、１本が凹部を有するときは、交差する２本の両面粘着テープの内側辺同士の交差点に接しており、２本が凹部を有するときは、少なくとも一つの凹部が交差する２本の両面粘着テープの内側辺同士の交差点に接している）を有しており、略ロの字状の切込みを入れる際に、交差する２本の両面粘着テープの重複部分、又は、交差する他の両面粘着テープ部分及び交差する２本の両面粘着テープの重複部分を含まないように略ロの字状の切込みを入れることを特徴とする、［６］記載の略枠状両面粘着テープが貼着された長尺シートの製造方法。
［９−１］切込みは、略枠状刃物を、矩形シートＣ側から押し当てることにより、矩形シートＣと前記略枠状両面粘着テープに切込みを入れることによることを特徴とする、［９］記載の略枠状両面粘着テープが貼着された長尺シートの製造方法。
［９−２］略枠状両面粘着テープに剥離性シートが貼着されていることを特徴とする、［９］又は［９−１］記載の略枠状両面粘着テープが貼着された長尺シートの製造方法。
［１０］長尺シートＡの最終的に形成される略枠状両面粘着テープの対応する２つの枠辺の間隔に相当する間隔で隣り合う２本の両面粘着テープ、及び、矩形シートＣの最終的に形成される略枠状両面粘着テープの対応する２つの枠辺の間隔に相当する間隔で隣り合う２本の両面粘着テープのうちの１本は、その外側辺（ただし、該隣り合う２本の両面粘着テープと他の長尺シートの両面粘着テープとの交差部間の外側辺）に凹部を有しており、又は他の長尺シートの両面粘着テープとの交差部間に矩形の穴を有しており、略ロの字状の切込みは突出片形成部を有しており、略ロの字状の切込みを入れる際に、該突出片形成部が該凹部又は矩形の穴の周辺の両面粘着テープに掛からないように切込みを入れることを特徴とする、［６］〜［９］のいずれかに記載の略枠状両面粘着テープが貼着された長尺シートの製造方法。
［１０−１］切込みは、略枠状刃物を、矩形シートＣ側から押し当てることにより、矩形シートＣと前記略枠状両面粘着テープに切込みを入れることによることを特徴とする、［１０］記載の略枠状両面粘着テープが貼着された長尺シートの製造方法。
［１０−２］略枠状両面粘着テープに剥離性シートが貼着されていることを特徴とする、［１０］又は［１０−１］記載の略枠状両面粘着テープが貼着された長尺シートの製造方法。
［１１］各略枠状両面粘着テープの４本の枠辺のうちの少なくとも１本の枠辺が、他の枠辺とは、特性、形状及び材質のうちの少なくとも１つにおいて異なることを特徴とする、略枠状両面粘着テープが貼着された長尺シート又は矩形シート。
［１２］各略枠状両面粘着テープの枠辺の４隅のうちの少なくとも１つの隅で途切れていることを特徴とする、略枠状両面粘着テープが貼着された長尺シート又は矩形シート。
［１３］略枠状両面粘着テープに剥離性シートが貼着されていることを特徴とする、［１１］又は［１２］記載の略枠状両面粘着テープが貼着された長尺シート又は矩形シート。
［１４］各略枠状両面粘着テープの枠辺の４隅のうちの少なくとも１つの隅で途切れている略枠状両面粘着テープにより、少なくとも２つの部材が粘着されていることを特徴とする、液晶表示装置。
［１５］略枠状両面粘着テープの４本の枠辺のうちの少なくとも１本の枠辺が、他の枠辺とは、特性、形状及び材質のうちの少なくとも１つにおいて異なる略枠状両面粘着テープにより、少なくとも２つの部材が粘着されていることを特徴とする、液晶表示装置。
［１６］２つの部材が、液晶モジュールと金属フレーム、液晶モジュールと液晶表示装置の筐体、液晶パネルとバックライトユニット、バックライトユニットと金属フレーム、レンズシートと拡散シート、レンズシートとレンズシート、拡散シートと拡散シート、拡散シートと導光板、導光板と導光板、光学フィルムと導光板、光学フィルムと光学フィルム、導光板とモールド、導光板と反射シート、反射シートと反射シート、レンズシートとモールド、拡散シートとモールド、光学フィルムとモールド、反射シートとモールド、モールドと金属フレーム、反射シートと金属フレーム、液晶表示装置の筐体とモールド、液晶表示装置の筐体と金属フレーム、カバーウィンドウと液晶表示装置の筐体、保護フィルムと液晶パネル、又は保護フィルムと保護フィルムであることを特徴とする、［１４］または［１５］記載の液晶表示装置。」
に関する。
【発明の効果】
【０００８】
本発明の略枠状両面粘着テープが貼着された長尺シートの製造方法によると、主材料である両面粘着テープの廃棄量を少なくでき、製造コストを低減できる。また、略枠状両面粘着テープの４本の枠辺のうち、少なくとも１つの枠辺が、他の枠辺とは、特性、形状及び材質のうち少なくとも１つにおいて別異である略枠状両面粘着テープが貼着された長尺シートを製造することができる。また、枠辺の４隅のうちの少なくとも１つの隅で途切れている略枠状両面粘着テープが貼着された長尺シートを製造することができる。
本発明の略枠状両面粘着テープが貼着された長尺シートは、略枠状両面粘着テープの４本の枠辺のうち、少なくとも１つの枠辺が、他の枠辺とは、特性、形状、及び材質のうち少なくとも１つにおいて別異である両面粘着テープを貼着されているので、略枠状両面粘着テープの使用箇所のニーズに適合させることができる。
本発明の略枠状両面粘着テープが貼着された長尺シートは、略枠状両面粘着テープの枠辺の４隅のうちの少なくとも１つの隅で途切れている、略枠状両面粘着テープが貼着されているので、略枠状両面粘着テープの使用箇所のニーズに適合させることができる。つまり、略枠状両面粘着テープの各枠辺の長さ、位置などを自由に設計できる。
本発明の液晶表示装置は、４本の枠辺のうちの少なくとも１つの枠辺が、他の枠辺とは、特性、形状及び材質のうちの少なくとも１つにおいて異なる略枠状両面粘着テープにより、少なくとも２つの部材が粘着されているので、性能及び信頼性が優れている。
【発明を実施するための最良の形態】
【０００９】
請求項１に係る、略枠状両面粘着テープが貼着された長尺シートの製造方法は、
第１工程：
（ア）長尺基材シート上に、２本以上の両面粘着テープが、最終的に形成される略枠状両面粘着テープの対応する２つの枠辺の間隔に相当する間隔で並行に貼着された長尺シートＡ、または
（イ）長尺基材シート上に、最終的に形成される略枠状両面粘着テープの対応する２つの枠辺の間隔に相当する間隔を有する２本一組の両面粘着テープが任意の間隔で複数並行に貼着された長尺シートＡと、
（ウ）長尺基材シート上に、２本以上の両面粘着テープが、最終的に形成される略枠状両面粘着テープの対応する２つの枠辺の間隔に相当する間隔で並行に貼着された長尺シートＢ、または
（エ）長尺基材シート上に、最終的に形成される略枠状両面粘着テープの対応する２つの枠辺の間隔に相当する間隔を有する２本一組の両面粘着テープが任意の間隔で複数並行に貼着された長尺シートＢとを、
長尺シートＡの両面粘着テープが存在する面と長尺シートＢの両面粘着テープが存在する面とが向き合うように、かつ長尺シートＡと長尺シートＢとが略Ｔ字形、または略十字形となるように、長尺シートＡの側方から長尺シートＢを交差させる工程と、
第２工程：前記交差位置における長尺シートＡの端辺沿い若しくは両端辺沿いに、長尺シートＢを切断し、該切断により形成された長尺シートＢの矩形切断片を、長尺シートＡに圧接する工程、
又は、長尺シートＢの長尺シートＡへの交差部分を長尺シートＡに圧接し、該交差位置における長尺シートＡの端辺沿い又は両端辺沿いに、長尺シートＢを切断して、長尺シートＢの矩形切断片を形成する工程と、
第３工程：
長尺シートＡの最終的に形成される略枠状両面粘着テープの対応する２つの枠辺の間隔に相当する間隔で隣り合う２本の両面粘着テープと、長尺シートＢの矩形切断片の最終的に形成される略枠状両面粘着テープの対応する２つの枠辺の間隔に相当する間隔で隣り合う２本の両面粘着テープと、からなる略井の字形両面粘着テープのうちの略ロの字部分の外周または外周と内周の中間部に、長尺シートＢ由来の矩形切断片を通して略ロの字状の切込みを入れる工程と、
第４工程：長尺シートＢの矩形切断片のうちの該切込みの外側に存在する部分および略枠状両面粘着テープのうちの該切込みの外側に存在する部分を除去する工程と、
からなることを特徴とする。
なお、前記第１工程（ア）、（ウ）において、「２本以上の両面粘着テープが、最終的に形成される略枠状両面粘着テープの対応する２つの枠辺の間隔に相当する間隔で並行に貼着された」における「対応する」は、第１工程における両面粘着テープと最終的に形成される枠辺の関係、つまり由来関係を示す。
前記第１工程（イ）、（エ）において、「最終的に形成される略枠状両面粘着テープの対応する２つの枠辺の間隔に相当する間隔を有する２本一組の両面粘着テープ」における「対応する」は、第１工程における両面粘着テープと最終的に形成される枠辺の関係、つまり由来関係を示す。
前記第３工程において、「最終的に形成される略枠状両面粘着テープの対応する２つの枠辺の間隔に相当する間隔で隣り合う２本の両面粘着テープ」における「対応する」は、第１工程〜第３工程における両面粘着テープと最終的に形成される枠辺の関係、つまり由来関係を示す。
【００１０】
請求項１の略枠状両面粘着テープが貼着された長尺シートの製造方法において、長尺シートＡが（ア）であり、長尺シートＢが（ウ）である場合、両面粘着テープの本数が３本以上の場合、外側の２本以外の両面粘着テープは、「隣り合う２本の両面粘着テープ」とその隣の「隣り合う２本の両面粘着テープ」に共有されうる。例えば、両面粘着テープの本数が３本の場合、「隣り合う２本の両面粘着テープ」とその隣の「隣り合う２本の両面粘着テープ」は、真ん中の１本の両面粘着テープを共有する。この場合、真ん中の１本の両面粘着テープの幅は、最終的に形成される略枠状両面粘着テープの対応する枠辺の幅の２倍以上であることが好ましい。
【００１１】
請求項１の略枠状両面粘着テープが貼着された長尺シートの製造方法において、長尺シートＡが（イ）であり、長尺シートＢが（エ）である場合、「隣り合う２本の両面粘着テープ」とは、最終的に形成される略枠状両面粘着テープの対応する２つの枠辺の間隔に相当する間隔を有する２本一組の両面粘着テープである。長尺シートＡ、長尺シートＢともに２本一組の両面粘着テープが任意の間隔で複数並行に貼着されている。任意の間隔は、特に限定されないが、小さい方が好ましい。
【００１２】
前記第１工程において、長尺シートＢを、長尺シートＡの幅以上寸動させることにより、長尺シートＡに交差させ；該寸動の停止後に前記第２工程を実施し；次いで長尺シートＡを長尺シートＢの幅以上寸動させて、寸動した位置で第３工程を実施し；次いで第４工程を実施するという作業を繰り返すこと、または
前記第１工程において、長尺シートＢを、長尺シートＡの幅以上寸動させることにより、長尺シートＡに交差させ；該寸動の停止後に前記第２工程を実施し；次いで長尺シートＡを長尺シートＢの幅以上寸動させて、寸動した位置で第３工程を実施するという作業を繰り返し；所望回数の繰り返しの後に第４工程を実施することが、製造効率上好ましい。
このような製法により、長尺基材シート上に長尺基材シートの長さ方向に複数の略枠状両面粘着テープが貼着された長尺シートを効率よく製造することができる。
【００１３】
請求項１の略枠状両面粘着テープが貼着された長尺シートの製造方法（第１態様）について、図１、図２および図３に基づいて詳細に説明する。第１態様は、長尺シートＡと長尺シートＢの貼着されている両面粘着テープが、２本ずつである態様である。図１は、第１態様により製造されつつある略枠状両面粘着テープが貼着された長尺シートの平面図である。図２は、第１態様により製造されつつある略枠状両面粘着テープが貼着された長尺シートの断面図である。なお、図２の左列の断面は、製造途上にある長尺シートＡの断面であり、工程順の断面を示している。図２の右列の断面は、長尺シートＢの断面である。より具体的には、第１工程左上段の断面図は、図１のＸ断面であり、図２の第１工程左下段、第２工程上段の断面図は、図１のＸ’断面である。図２の第１工程右上段の断面図は、図１のＹ断面である。図３は、長尺シートＡと長尺シートＢの製造途上の断面図である。
【００１４】
まず、長尺基材シート上に２本の両面粘着テープが所定の間隔で並行に貼着された長尺シートを用意する。かかる長尺シートは、例えば、
（ａ）片面に剥離性フィルムが貼着された両面粘着テープ２本を所定の長さだけ離して並行して送り出す工程と、
（ｂ）前記送り出された２本の両面粘着テープの粘着面を、別異の所から並行に送り出される長尺基材シートにプレスして貼着する工程と、
（ｃ）前記長尺基材シートに貼着された２本の両面粘着テープから剥離性フィルムを剥離する工程によって製造することができる。
即ち、長尺基材シート３ａ上に２本の両面粘着テープ２ａ１、２ａ２が所定の間隔で並行に貼着された長尺シートＡ、および長尺基材シート３ｂ上に２本の両面粘着テープ２ｂ１、２ｂ２が所定の間隔で並行に貼着された長尺シートＢを作製する（図３）。
ここで、所定の間隔とは、最終的に形成される略枠状両面粘着テープの対応する２つの枠辺の間隔に相当する間隔を意味する。なお、長尺シートＡ及び長尺シートＢは、上記方法により製造されることが好ましいが、上記方法に限定されるものではない。
【００１５】
長尺基材シート３ａ上の２本の両面粘着テープ２ａ１、２ａ２、及び長尺基材シート３ｂ上の２本の両面粘着テープ２ｂ１、２ｂ２のうち少なくとも１つを、他の両面粘着テープとは、特性、形状及び材質のうち少なくとも１つにおいて別異にすることによって、最終的に形成される略枠状両面粘着テープの４本の枠辺のうち、少なくとも１つの枠辺を、他の枠辺とは、特性、形状及び材質のうち少なくとも１つにおいて別異にすることができる。ここで、特性としては、色、反射率、粘着力、粘着特性、断熱性、クッション性、防塵特性などが例示される。形状としては、枠辺の長さ、幅、厚さなどが例示される。材質としては、粘着剤の種類、芯材の種類が例示される。これらには、４つの枠辺のうち、３つが同一、残り１つが異種；２つが同一、他の２つが同一であるが先の２つとは異種；４つすべてが異種という態様がある。
【００１６】
本発明の略枠状両面粘着テープが貼着された長尺シートの製造方法において、長尺基材シート３ａ、長尺基材シート３ｂの長さは限定されず、ロール状に巻回できる程度の長さであることが好ましい。長尺基材シート３ａ、長尺基材シート３ｂの幅は、目的とする略枠状両面テープの幅以上であり、１〜２割位大きいことが好ましい。長尺基材シート３ａ及び長尺基材シート３ｂは、両面粘着テープを貼着することができ、剥離する必要があるときには剥離できる程度の表面特性を有することが好ましい。長尺基材シート３ａ及び長尺基材シート３ｂは、プラスチックフィルム製、シリコーン被覆プラスチックフィルム製、ポリエチレンラミネート紙製、シリコーン被覆紙製が好ましく、プラスチックフィルムの材質として、ポリエチレンテレフタレート、ポリアミド、ポリ塩化ビニル、ポリプロピレン、ポリエチレンが例示される。２本の並行な両面粘着テープの間隔は、目的とする略枠状両面テープの並行する２本の枠辺の内側間隔である。両面粘着テープを構成する粘着剤は、粘着力が大きく、耐久性があるものが好ましく、アクリル系粘着剤、ゴム系粘着剤、ポリウレタン系粘着剤が例示される。
【００１７】
本発明の略枠状両面粘着テープが貼着された長尺シートの製造方法において、長尺シートＡ、長尺シートＢの長さは限定されず、ロール状に巻回できる程度の長さであることが好ましい。前記工程（ｂ）実施後、又は前記工程（ｃ）実施後に、長尺シートＡの長手方向の長さ、および長尺シートＢの長手方向の長さを所望の長さにするために切断してもよい。
【００１８】
第１工程では、長尺基材シート３ａ上に２本の両面粘着テープ２ａ１、２ａ２が所定の間隔で並行に貼着された長尺シートＡと、長尺基材シート３ｂ上に２本の両面粘着テープ２ｂ１、２ｂ２が所定の間隔で並行に貼着された長尺シートＢとを、両面粘着テープ２ａ１、２ａ２が存在する面と両面粘着テープ２ｂ１、２ｂ２が存在する面とが向き合うように、かつ前記長尺シートＡと前記長尺シートＢとが略Ｔ字形、または略十字形となるように、長尺シートＡの側方から前記長尺シートＢを交差させる。その際、長尺シートＢを、長尺シートＡの幅以上、送り方向Ｂへ寸動させることにより、長尺シートＡに交差させることが好ましい。また、図１、図２に示す如く、長尺シートＢは、長尺シートＡに対して９０°の交差角度をもって交差させることが好ましい。長尺シートＡと長尺シートＢとの交差位置Ｐにおける位置合わせは、予め長尺シートＡと長尺シートＢに形成されたスプロケット穴１２やCCDカメラにより行なうことが好ましい。
【００１９】
第２工程では、交差位置Ｐにおける長尺シートＡの端辺沿い若しくは両端辺沿いに、長尺シートＢをカッター５（図２）で切断し、該切断により形成された長尺シートＢ由来の矩形切断片Ｂ’を、長尺シートＡに圧接する。なお、長尺シートＢを寸動させて長尺シートＡに交差させる場合は、該寸動の停止時に第２工程を実施する。長尺シートＢの切断位置は、本態様では、図１、図２において切断位置４として点線で示しているが、これに限定されるものではなく、長尺シートＡの両面粘着テープ２ａ２の右端辺から長尺シートＡの端辺までの間の位置４’や長尺シートＡの端辺からやや離れた位置４”でもよい（図１）。なお、長尺シートＡの両面粘着テープ２ａ１、２ａ２と、長尺シートＢの両面粘着テープ２ｂ１、２ｂ２とが交差する位置（すなわち、隅部）では、重なる分だけ他の箇所より厚くなるが、図２では重なりの表現は省略している。隅部で、長尺シートＡの両面粘着テープ２ａ１、２ａ２と、長尺シートＢの両面粘着テープ２ｂ１、２ｂ２との重なりを防止するために、いずれか一方の長尺シートの両面粘着テープの重なる部分を第一工程の前に予め除去しておいてもよい。したがって、請求項１における長尺基材シート上の２本以上の両面粘着テープは、断続している両面粘着テープをも含むものである。
【００２０】
上記第２工程では、長尺シートＢを切断してから、該切断により形成された長尺シートＢ由来の矩形切断片Ｂ’を長尺シートＡに圧接している。長尺シートＢの長尺シートＡへの交差部分を長尺シートＡに圧接してから、交差位置Ｐにおける前記長尺シートＡの端辺沿い又は両端辺沿いに、長尺シートＢを切断することにより、長尺シートＢ由来の矩形切断片Ｂ’を形成してもよい。
【００２１】
なお、長尺シートＢを長尺シートＡに略Ｔ字形となるように交差させたときは、長尺シートＡの一端沿いに長尺シートＢを切断し、略十字形となるように交差させたときは、長尺シートＡの両端辺沿いに長尺シートＢを切断する。略Ｔ字形および略十字形は、９０°で交差してできることが好ましいが、９０°とは多少異なる角度で交差してできてもよい。
【００２２】
第３工程では、長尺シートＡの２本の両面粘着テープ２ａ１、２ａ２と長尺シートＢ由来の矩形切断片Ｂ’の２本の両面粘着テープ２ｂ１’、２ｂ２’とからなる略井の字形両面粘着テープのうちの略ロの字部分の外周部に、または外周と内周の中間部に、長尺シートＢ由来の矩形切断片Ｂ’を通して略枠状の切込み７を入れる。切込み７は、切込み形状が略ロの字状、好ましくはロの字状であり、切込み位置が略ロの字部分の外周部、または外周と内周の中間である。好ましくは、長尺シートＡの２本の両面粘着テープ２ａ１、２ａ２と長尺シートＢ由来の矩形切断片Ｂ’の２本の両面粘着テープ２ｂ１’、２ｂ２’とからなる略井の字形両面粘着テープ上に、該略井の字形両面粘着テープのうちの略ロの字部分の外周の大きさ、又は外周と内周の中間の大きさの枠状刃物６を、長尺シートＢ由来の矩形切断片Ｂ’側から押し当てることにより、長尺シートＢ由来の矩形切断片Ｂ’と略枠状両面粘着テープに切込み７を入れる。なお、第３工程は、第２工程を実施した場所で実施してもよいが、第２工程後に、長尺シートＡを送り方向Ａへ長尺シートＢの幅以上寸動させて停止した位置で実施することが好ましい。枠状刃物６は、刃先の平面形状が略枠状、好ましくは枠状であり、略ロの字部分の外周の大きさ、または外周と内周の中間の大きさを有する。また、枠状刃物６の代わりに、カッター好ましくは電動式カッターで略ロの字状の切込み７を形成しても良い。なお、略井の字形は、長尺シートＡの最終的に形成される略枠状両面粘着テープの対応する２つの枠辺の間隔に相当する間隔で隣り合う２本の両面粘着テープと、長尺シートＢの矩形切断片の最終的に形成される略枠状両面粘着テープの対応する２つの枠辺の間隔に相当する間隔で隣り合う２本の両面粘着テープと、が交差することで形成される形状のことである。
【００２３】
第４工程では、長尺シートＢ由来の矩形切断片Ｂ’および略枠状両面粘着テープの不要部分、すなわち、切込み７の外側に存在する部分を除去する。除去作業は、例えば切込み位置８に切込みを入れてから行なっても良いし、所望の数の略枠状両面粘着テープが形成された段階で、まとめて行なっても良い。
【００２４】
本態様では、前記第１工程において、長尺シートＢを長尺シートＡの幅以上寸動させることにより、長尺シートＡに交差させ；該寸動の停止後に前記第２工程を実施し；次いで長尺シートＡを長尺シートＢの幅以上寸動させて、寸動した位置で第３工程を実施し；次いで第４工程を実施するという作業を繰り返すが、前記第１工程において、長尺シートＢを長尺シートＡの幅以上寸動させることにより、長尺シートＡに交差させ；該寸動の停止後に前記第２工程を実施し；次いで長尺シートＡを長尺シートＢの幅以上寸動させて、寸動した位置で第３工程を実施するという作業を繰り返し；所望回数の繰り返しの後に第４工程を実施してもよい。後者の態様では、第４工程の除去作業を効率よく実施することができる。ここで、所望回数は、長尺シートの長さ方向に最終的に形成する略枠状両面粘着テープの数から算出される。また、長尺シートＡを送り方向Ａへ長尺シートＢの幅以上寸動させると同時に、長尺シートＢを送り方向Ｂへ長尺シートＡの幅以上寸動させて第１工程を実施し、新たな交差位置で第２工程を実施すると効率的である。
【００２５】
上記の製造方法で製造される、略枠状両面粘着テープが貼着された長尺シートは、略枠状両面粘着テープ上及び該両面粘着テープの枠内上に、長尺シートＢに由来する略枠状の剥離性シート３ｂ＃が貼着されているので、ロール状に巻回可能である。また、人の指や物が触れても、くっつくことがない。該長尺シートの長手方向の長さは、特に限定されず、ロール状に巻回できるだけの長さが好ましい。また、１枚の長尺シートの長さ方向に複数の略枠状両面粘着テープが貼着されていることが好ましい。その略枠状両面粘着テープの数は、特に限定されず、例えば顧客が要求する数、あるいは液晶表示装置又はその部品の製造に必要な数にすればよく、例えば２〜１０である。複数の略枠状両面粘着テープが貼着されている長尺シートを、該略枠状両面粘着テープ単位に切断して、略枠状両面粘着テープが貼着された矩形シートを作っても良い。なお、本発明では、略枠状は、略枠形状と言うこともでき、好ましくは枠状、枠形状であり、四角い窓枠形状が代表的であるが、多少変形した形状を含むものである。
【００２６】
上記製造方法において、長尺シートＢの代わりに、（ウ）相当の矩形シートＣ、または（エ）相当の矩形シートＣを使用して、ほぼ同様の条件で、略枠状両面粘着テープが貼着された長尺シートを製造することができる。この場合、矩形シートＣの長さ、幅、材質は、前記長尺シートＢ由来の矩形切断片Ｂ’の長さ、幅、材質と同じであることが好ましい。なお、矩形は正方形及び長方形を意味する。ここで、長さとは、両面粘着テープが所定の間隔で並行に走っている方向の長さである。
【００２７】
本発明の略枠状両面粘着テープが貼着された長尺シートの製造方法の第１態様によれば、両面粘着テープ２ａ１、２ａ２と両面粘着テープ２ｂ１、２ｂ２の種類を変えることにより、各略枠状両面粘着テープの４本の枠辺（２ａ１＃、２ａ２＃、２ｂ１＃、２ｂ２＃）のうちの少なくとも１本の枠辺が、他の枠辺とは、特性、形状及び材質のうちの少なくとも１つにおいて異なる略枠状両面粘着テープが貼着された長尺シートを製造することができる。ここで、特性としては、色、反射率、粘着力、粘着特性、断熱性、クッション性、防塵特性などが例示される。形状としては、枠辺の長さ、幅、厚さなどが例示される。材質としては、粘着剤の種類、芯材の種類が例示される。これらには、４つの枠辺のうち、３つが同一、残り１つが異種；２つが同一、他の２つが同一であるが先の２つとは異種；４つすべてが異種という態様がある。
【００２８】
次に、請求項４に係る、目的とする枠状両面粘着テープの各隅に両面粘着テープの重複部分が無い態様、および各隅（４隅）で途切れている態様の枠状両面粘着テープが貼着された長尺シートの製造方法を詳細に説明する。
かかる枠状両面粘着テープが貼着された長尺シートの製造方法は、長尺シートＡの最終的に形成される略枠状両面粘着テープの対応する２つの枠辺の間隔に相当する間隔で隣り合う２本の両面粘着テープと、長尺シートＢの最終的に形成される略枠状両面粘着テープの対応する２つの枠辺の間隔に相当する間隔で隣り合う２本の両面粘着テープとの各交差位置において、交差する２本の両面粘着テープの内の１本又は２本が、該交差位置の内側辺に凹部（ただし、１本が凹部を有するときは、凹部は交差する２本の両面粘着テープの内側辺同士の交差点に接しており、２本が凹部を有するときは、少なくとも一つの凹部は交差する２本の両面粘着テープの内側辺同士の交差点に接している）を有しており、略ロの字状の切込みを入れる際に、交差する２本の両面粘着テープの重複部分を含まないように、又は、交差する他の両面粘着テープ部分及び交差する２本の両面粘着テープの重複部分を含まないように略ロの字状の切込みを入れることを特徴とする。
【００２９】
上記製造方法において、両面粘着テープの内側辺同士の交差点とは、凹部が無いと仮定した両面粘着テープの内側辺と凹部を有しない両面粘着テープの内側辺との交差点、および凹部が無いと仮定した両面粘着テープ同士の内側辺の交差点を指す。
図４（ａ）〜（ｈ）は、４つの交差位置のうちの１箇所の拡大図である。
図４（ａ）は、交差する２本の両面粘着テープ３１、３２の２本が、それぞれ該交差位置の内側辺３１ｉ、３２ｉに凹部３１ｄ、３２ｄを有している。凹部３１ｄ、３２ｄの長さは交差する他の両面粘着テープ３２、３１の幅より長い。
図４（ｂ）は、交差する２本の両面粘着テープ３１、３２の内の両面粘着テープ３１が、該交差位置の内側辺３１ｉに凹部３１ｄを有している。凹部３１ｄの長さは交差する他の両面粘着テープ３２の幅より長い。
図４（ｃ）は、交差する２本の両面粘着テープ３１、３２の内の両面粘着テープ３２が、該交差位置の内側辺３２ｉに凹部３２ｄを有している。該凹部３２ｄの長さが交差する他の両面粘着テープ３１の幅より短く、かつ交差する他の両面粘着テープ由来の最終的に形成される枠辺の幅より大きい。
図４（ｄ）は、交差する２本の両面粘着テープ３１、３２の内の両面粘着テープ３２が、該交差位置の内側辺３２ｉに凹部３２ｄを有している。該凹部３２ｄの長さが交差する他の両面粘着テープ３１の幅と同じである。
図４（ｅ）は、交差する２本の両面粘着テープ３１、３２の内の両面粘着テープ３２が、該交差位置の内側辺３２ｉに凹部３２ｄを有している。該凹部３２ｄの長さが交差する他の両面粘着テープ３１の幅より大きいが、凹部３２ｄの右端辺が両面粘着テープ３１の内側辺３１ｉに接している。
図４（ｆ）は、交差する２本の両面粘着テープ３１、３２の２本が、それぞれ該交差位置の内側辺３１ｉ、３２ｉに凹部３１ｄ、３２ｄを有している。凹部３１ｄ、３２ｄの長さは交差する他の両面粘着テープ３２、３１の幅と同じである。
図４（ｇ）は、交差する２本の両面粘着テープの２本が、該交差位置の内側辺に凹部を有しており、交差する２本の両面粘着テープの内の１本の凹部が、交差する２本の両面粘着テープの内側辺同士の交差点３３に接しており、交差する他の両面粘着テープの凹部が、交差する２本の両面粘着テープの内側辺同士の交差点３３に接していない。
なお、３４は切込み位置である。
図４（ｈ）は、交差する２本の両面粘着テープ３１、３２のうちの両面粘着テープ３１が、段落［００１０］で述べた「共有される真ん中の１本の両面粘着テープ」である場合のものである。両面粘着テープ３１が、該交差位置の内側辺３１ｉＲ、３１ｉＬに凹部３１ｄＲ、３１ｄＬを有している。両面粘着テープ３２が、該交差位置の内側辺３２ｉに凹部３２ｄを有している。凹部３１ｄＲ、３１ｄＬ、３２ｄの長さは交差する他の両面粘着テープ３２、３２、３１の幅と同じである。
長尺基材シート上に、３本以上の両面粘着テープが並行に貼着されている場合は、図４（ｄ）に示す態様のものが生産効率がよい。共有される真ん中の１本の両面粘着テープの中間点に切込みを入れると、左右に同一形状の略枠状両面粘着テープが形成されるからである。
【００３０】
凹部の長さは、交差する他の両面粘着テープの幅より短くかつ交差する他の両面粘着テープ由来の最終的に形成される枠辺の幅より大きいのもの、交差する他の両面粘着テープの幅と同じもの、交差する他の両面粘着テープの幅より長いものがある。
【００３１】
凹部の奥行きは、該凹部が存在する両面粘着テープ由来の最終的に形成される枠辺の幅以上であり、両面粘着テープの幅より小である。
【００３２】
図５に、図４（ａ）〜（ｇ）の態様でできる略枠状両面粘着テープを示す。なお、図４（ｈ）の態様からは図５（ｆ）に示す略枠状両面粘着テープが生成する。これらは、図５（ａ）〜（ｇ）それぞれにおいて、４つの交差位置が同じ態様で構成されたものであるが、交差点毎に異なる態様であってもよい。
【００３３】
次に、請求項５に係る、目的とする枠状両面粘着テープが貼着された長尺シートであって、該枠状両面粘着テープを覆う剥離性シートが突出片を有する長尺シートの製造方法を説明する。突出片は、剥離性シートを略枠状両面粘着テープから引き剥がす際につまみとして利用される。
長尺シートＡの最終的に形成される略枠状両面粘着テープの対応する２つの枠辺の間隔に相当する間隔で隣り合う２本の両面粘着テープ、及び、長尺シートＢの最終的に形成される略枠状両面粘着テープの対応する２つの枠辺の間隔に相当する間隔で隣り合う２本の両面粘着テープのうちの１本は、その外側辺（ただし、該隣り合う２本の両面粘着テープと他の長尺シートの両面粘着テープとの交差部間の外側辺）に凹部を有しており、あるいは他の長尺シートの両面粘着テープとの交差部間に矩形の穴を有している。略ロの字状の切込みは突出片形成部を有しており、略ロの字状の切込みを入れる際に、略ロの字状の切込みの突出片形成部が該凹部又は矩形の穴の周辺の両面粘着テープに掛からないように切込みを入れることを特徴とする。
【００３４】
図６は、略ロの字状の切込み位置を示している。前記外側辺の凹部４０ａと略ロの字状の切込み４１の突出片形成部４２の位置関係を示している。また、前記矩形の穴４０ｂと略ロの字状の切込み４１の突出片形成部４２の位置関係を示している。４３は、両面粘着テープである。
前記外側辺の凹部４０ａは、凹部４０ａを有する両面粘着テープと他の長尺シートの２本の両面粘着テープとの２つの交差部の間にある。矩形の穴を有するのは、図６に示すように、突出片形成用の切込みを入れる両面粘着テープが、「隣り合う２本の両面粘着テープ」とその隣の「隣り合う２本の両面粘着テープ」とに共有される場合である。
【００３５】
請求項５の略枠状両面粘着テープが貼着された長尺シートの製造方法（第２態様、第３態様）について、それぞれ図７、図８に基づいて詳細に説明する。
図７は、第２態様により製造されつつある略枠状両面粘着テープが貼着された長尺シートの平面図である。この第２態様は、後述の長尺基材シート３ａに貼着されている両面粘着テープ２ａ１、２ａ２が内側辺に凹部９ａ１、９ａ２を有し、長尺シートＢに貼着されている両面粘着テープ２ｂ２が外側辺に凹部１０を有し、剥離性シート３ｂ♯が突出片１１を有することと、第３工程における切込み位置と切込み形状以外は、第１態様と同じである。
図８は、第３態様により製造されつつある略枠状両面粘着テープが貼着された長尺シートの平面図である。この第３態様は、後述の長尺基材シート３ａに貼着されている両面粘着テープ２ａ１、２ａ２が内側辺に凹部９ａ１、９ａ２を有し、長尺基材シート３ｂに貼着されている両面粘着テープ２ｂ１、２ｂ２が内側辺に凹部９ｂ１、９ｂ２を有し、長尺シートＢに貼着されている両面粘着テープ２ｂ２が外側辺に凹部１０を有し、剥離性シート３ｂ♯が突出片１１を有することと、第３工程における切込み位置と切込み形状以外は、第１態様と同じである。
なお、図７、図８において、スプロケット穴の図示を省略している。以下に凹部９ａ１、９ａ２、凹部９ｂ１、９ｂ２、凹部１０について詳細に説明する。
【００３６】
前記長尺シートＡ及び前記長尺シートＢの合計４本の両面粘着テープのうちの少なくとも１本の両面粘着テープは、その内側辺に凹部を有する。
第２態様では、長尺シートＡの２本の両面粘着テープは、その内側辺に凹部（但し、長尺シートＢの幅当たり２つの凹部）９ａ１、９ａ２を有し、長尺シートＢの２本の両面粘着テープは、その内側辺に凹部を有しない（図７）。
第３態様では、長尺シートＡ及び長尺シートＢの各２本の両面粘着テープは、その各内側辺に凹部（但し、長尺シートＡの場合は長尺シートＢの幅当たり２つの凹部、長尺シートＢの場合は長尺シートＡの幅当たり２つの凹部）を有する（図８）。
また、上記の他、長尺シートＢの２本の両面粘着テープは、その内側辺に凹部（但し、長尺シートＡの幅当たり２つの凹部）９ｂ１、９ｂ２を有し、長尺シートＡの２本の両面粘着テープは、その内側辺に凹部を有しない態様もあり得る。
凹部９ａ１、９ａ２は、長尺基材シート３ａ上に両面粘着テープ２ａ１、２ａ２が貼着される前に形成されていることが好ましい。また、凹部９ｂ１、９ｂ２は、長尺基材シート３ｂ上に両面粘着テープ２ｂ１、２ｂ２が貼着される前に形成されることが好ましい。
以下に凹部９ａ１、９ａ２の間隔、長さ、奥行について、凹部９ａ１を例に挙げて説明し、凹部９ｂ１、９ｂ２の間隔、長さ、奥行について、凹部９ｂ１を例に挙げて説明する。
【００３７】
［凹部９ａ１の間隔について］
凹部９ａ１は、両面粘着テープ２ａ１の内側辺に複数形成されていることが好ましい（図７）。隣接している２つの凹部９ａ１の間隔が、最終的に形成される略枠状両面粘着テープの枠辺２ａ１♯の長さとなるので、枠辺２ａ１♯の長さの設定によって、隣接している２つの凹部９ａ１の間隔が決まる。つまり、隣接している２つの凹部９ａ１の間隔は、目的とする略枠状両面粘着テープの対応する枠辺２ａ１♯の設定長さとなる。この設定長さは、枠辺２ａ１♯と、枠辺２ｂ１♯や枠辺２ｂ２♯とが隅部で重ならないようにするために、隣接している２つの凹部９ａ１の間隔を、枠辺２ｂ１♯と枠辺２ｂ２♯との間の距離以下とすることが好ましい。ここで、隣接している２つの凹部９ａ１間の両面粘着テープが枠辺テープ２ａ１♯となるので、隣接している２つの凹部９ａ１と、別の隣接している２つの凹部９ａ１との間の長さは、特に限定されない。
［凹部９ａ１の長さについて］
凹部９ａ１自体の長さは、最終的に形成される略枠状両面粘着テープの枠辺２ｂ１♯の幅以上であることが好ましい。
［凹部９ａ１の奥行について］
凹部９ａ１の奥行は、最終的に形成される略枠状両面粘着テープの枠辺２ａ１♯の幅以上であることが好ましく、両面粘着テープ２ａ１の幅より小さい。
【００３８】
凹部９ａ１の上記説明は、凹部９ａ２にも当てはまる。両面粘着テープ２ａ１の凹部９ａ１と両面粘着テープ２ａ２の凹部９ａ２は、対称位置に存在することが好ましいが、多少ずれた位置に存在しても良い。
【００３９】
［凹部９ｂ１の間隔について］
凹部９ｂ１は、両面粘着テープ２ｂ１の内側辺に、所定の間隔をもって複数形成されていることが好ましい（図８）。隣接している２つの凹部９ｂ１の間隔が、最終的に形成される略枠状両面粘着テープの枠辺２ｂ１♯の長さとなるので、枠辺２ｂ１♯の長さの設定によって、隣接している２つの凹部９ｂ１の間隔が決まる。つまり、隣接している２つの凹部９ｂ１の間隔は、目的とする略枠状両面粘着テープの対応する枠辺２ｂ１♯の設定長さとなる。この設定長さは、枠辺２ｂ１♯と、枠辺２ａ１♯や枠辺２ａ２♯とが隅部で重ならないようにするために、隣接している２つの凹部９ｂ１の間隔が、枠辺２ａ１♯と枠辺２ａ２♯との間の距離以下とすることが好ましい。ここで、隣接している２つの凹部９ｂ１間の両面粘着テープが枠辺テープ２ｂ１♯となるので、隣接している２つの凹部９ｂ１と、別の隣接している２つの凹部９ｂ１との間の長さは、特に限定されない。
［凹部９ｂ１の長さについて］
凹部９ｂ１自体の長さは、最終的に形成される略枠状両面粘着テープの枠辺２ａ１♯の幅以上であることが好ましい。
［凹部９ｂ１の奥行について］
凹部９ｂ１の奥行は、最終的に形成される略枠状両面粘着テープの枠辺２ｂ１♯の幅以上であることが好ましく、両面粘着テープ２ｂ１の幅より小さい。
【００４０】
凹部９ｂ１の上記説明は、凹部９ｂ２にも当てはまる。両面粘着テープ２ｂ１の凹部９ｂ１と両面粘着テープ２ｂ２の凹部９ｂ２は、対称位置に存在することが好ましいが、多少ずれた位置に存在しても良い。
【００４１】
また、前記長尺シートＡ及び前記長尺シートＢの合計４本の両面粘着テープのうちの少なくとも１本の両面粘着テープは、外側辺に凹部を有することが好ましい。第２態様（図７）、第３態様（図８）では、長尺基材シート３ｂ上に貼着されている両面粘着テープ２ｂ２が、その外側辺に凹部１０を備えている。該凹部１０は、長尺基材シート３ｂ上に両面粘着テープ２ｂ２が貼着される前に形成されることが好ましい。以下に該凹部１０の間隔、長さ、奥行について説明する。
【００４２】
［凹部１０の間隔について］
該凹部１０は、両面粘着テープ２ｂ２の外側辺に一定の間隔をもって複数形成される。該凹部１０は、剥離性シート３ｂ♯に突出片１１を形成するためのものである。したがって、凹部１０は、突出片１１を形成する位置で両面粘着テープ２ｂ２を予めカットして形成される。
［凹部１０の長さについて］
該凹部１０の長さは、突出片１１の幅以上であることが好ましい。
［凹部１０の奥行について］
該凹部１０の奥行は、両面粘着テープ２ｂ１の幅から両面粘着テープ２ｂ１♯の幅を引いた残りの長さであることが好ましい。
【００４３】
第２態様では、長尺シートＡの２本の両面粘着テープの凹部で長尺シートＢの２本の両面粘着テープと交差させ、該交差により形成された略ロの字状部分上に、切込みを入れるが、その際に、長尺シートＡの両面粘着テープと長尺シートＢの両面粘着テープの重複部分を含まないように切込みを入れる（図７）。
また、長尺シートＢの２本の両面粘着テープの凹部で長尺シートＡの２本の両面粘着テープと交差させてもよく、その場合、長尺シートＡの２本の両面粘着テープと長尺シートＢの２本の両面粘着テープの交差により形成された略ロの字状部分上に、切込みを入れるが、その際に、長尺シートＡの両面粘着テープと長尺シートＢの両面粘着テープの重複部分を含まないように切込みを入れる（図示せず）。
第３態様では、長尺シートＡ及び長尺シートＢの２本の両面粘着テープの凹部同士で長尺シートＡ及び長尺シートＢの２本の両面粘着テープを交差させ、長尺シートＡの２本の両面粘着テープと長尺シートＢの２本の両面粘着テープの交差により形成された略ロの字状部分上に、切込みを入れるが、その際に、長尺シートＡの両面粘着テープと長尺シートＢの両面粘着テープの重複部分を含まないように切込みを入れる（図８）。
【００４４】
第２態様、第３態様において、切込み位置は、長尺シートＡの２本の両面粘着テープと長尺シートＢの２本の両面粘着テープの交差により形成された略ロの字状部分上に、切込みを入れる際に、長尺シートＡの両面粘着テープと長尺シートＢの両面粘着テープの重複部分を含まないように切込み７を入れることができる位置である。なお、切込みは、略枠状刃物６で行なうことが好ましい。その場合、該重複部分が略枠状刃物６の刃先の枠内に入らないように切込みを入れる。略枠状の切込み７は、突出片形成部７ａを有している。したがって、第２態様、第３態様において、切込み形状は、突出片１１を形成できるような形状である。略枠状刃物６で切込みを入れる場合は、略枠状刃物６の平面形状は、突出片１１を形成できるような形状である。また、略枠状刃物６の代わりに、カッター好ましくは電動式カッターで略枠状の切込み７を形成しても良い。
【００４５】
上記製造方法において、長尺シートＢの代わりに、（ウ）相当の矩形シートＣ、または（エ）相当の矩形シートＣを使用して、ほぼ同様の条件で、略枠状両面粘着テープが貼着された長尺シートを製造することができる。この場合、矩形シートＣの長さ、幅、材質は、前記長尺シートＢ由来の矩形切断片Ｂ’の長さ、幅、材質と同じであることが好ましい。ここで、長さとは、両面粘着テープが所定の間隔で並行に走っている方向の長さである。また、矩形シートＣの２本の両面粘着テープは、その内側辺に２つの凹部を有し、矩形シートＣの２本の両面粘着テープのいずれか１つは、その外側辺に凸部を有する。
【００４６】
本発明の略枠状両面粘着テープが貼着された長尺シートの製造方法の第２態様、第３態様によれば、両面粘着テープ２ａ１、２ａ２と両面粘着テープ２ｂ１、２ｂ２の種類を変えることにより、各略枠状両面粘着テープの４本の枠辺のうちの少なくとも１本の枠辺が、他の枠辺とは、特性、形状及び材質のうちの少なくとも１つが異なる略枠状両面粘着テープが貼着された長尺シート又は矩形シートを製造することができる。ここで、特性としては、色、反射率、粘着力、粘着特性、断熱性、クッション性、防塵特性などが例示される。形状としては、枠辺の長さ、幅、厚さなどが例示される。材質としては、粘着剤の種類、芯材の種類が例示される。これらには、４つの枠辺のうち、３つが同一、残り１つが異種；２つが同一、他の２つが同一であるが先の２つとは異種；４つすべてが異種という態様がある。
また、各略枠状両面粘着テープの枠辺が隅で重複せず、隅が途切れている略枠状両面粘着テープが貼着された長尺シート又は矩形シートを製造することができる。なお、隅が途切れている態様には、途切れているが密接している態様（図５（ｃ）、（ｄ）、（ｅ））、枠辺間に小さな隙間がある態様（図５（ｂ））、隅に両面粘着テープがない態様（図５（ａ）、（ｆ）、（ｇ））が含まれる。隅が途切れている略枠状両面粘着テープは、各枠辺の長さ、位置を自由に設計できる。
いずれの態様であっても、長尺シート又は矩形シートの略枠状両面粘着シート上には、他の長尺シート又は矩形シート由来の略矩形の剥離性シートが粘着しているので、この剥離性シートを剥がして粘着作業をする必要がある。
【００４７】
請求項１の略枠状両面粘着テープが貼着された長尺シートの製造方法（第４態様）について、図９に基づいて詳細に説明する。
本第４態様は、請求項１の略枠状両面粘着テープが貼着された長尺シートの製造方法において、長尺シートＡが（イ）であり、長尺シートＢが（エ）である場合で、長尺シートＡおよび長尺シートＢには、２本一組の両面粘着テープ２つが任意の間隔で並行に貼着されている。
【００４８】
第１工程：
（イ）長尺基材シート３ａ上に、最終的に形成される略枠状両面粘着テープの対応する２つの枠辺の間隔に相当する間隔を有する２本一組の両面粘着テープ（２ａ１と２ａ２との組、２ａ３と２ａ４との組）を任意の間隔で並行に貼着された長尺シートＡと、
（エ）長尺基材シート３ｂ上に、最終的に形成される略枠状両面粘着テープの対応する２つの枠辺の間隔に相当する間隔を有する２本一組の両面粘着テープ（２ｂ１と２ｂ２との組、２ｂ３と２ｂ４との組）を任意の間隔で並行に貼着された長尺シートＢとを、
長尺シートＡの両面粘着テープ（２ａ１、２ａ２、２ａ３、２ａ４）が存在する面と長尺シートＢの両面粘着テープ（２ｂ１、２ｂ２、２ｂ３、２ｂ４）が存在する面とが向き合うように、かつ長尺シートＡと長尺シートＢとが略Ｔ字形、または略十字形となるように、長尺シートＡの側方から長尺シートＢを交差させる工程と、
第２工程：前記交差位置Ｐにおける長尺シートＡの端辺沿い若しくは両端辺沿いに、長尺シートＢを切断し（切断位置４は点線で示している）、該切断により形成された長尺シートＢの矩形切断片を、長尺シートＡに圧接する工程と、
第３工程：
長尺シートＡの最終的に形成される略枠状両面粘着テープの対応する２つの枠辺の間隔に相当する間隔で隣り合う２本の両面粘着テープ（２ａ１と２ａ２や２ａ３と２ａ４）と、長尺シートＢの矩形切断片の最終的に形成される略枠状両面粘着テープの対応する２つの枠辺の間隔に相当する間隔で隣り合う２本の両面粘着テープ（２ｂ１と２ｂ２や２ｂ３と２ｂ４）と、からなる略井の字形両面粘着テープのうちの略ロの字部分の外周または外周と内周の中間部に、長尺シートＢ由来の矩形切断片を通して略ロの字状の切込みを入れる工程と、
第４工程：長尺シートＢの矩形切断片のうちの該切込みの外側に存在する部分および略枠状両面粘着テープのうちの該切込みの外側に存在する部分を除去する工程と、
からなる。
【００４９】
本第４態様では、略井の字形両面粘着テープは、計４つ形成される。最終的には、２ａ１＃、２ａ２＃、２ｂ１＃及び２ｂ２＃からなる略枠状両面粘着テープ、２ａ３＃、２ａ４＃、２ｂ１＃及び２ｂ２＃からなる略枠状両面粘着テープ、２ａ１＃、２ａ２＃、２ｂ３＃及び２ｂ４＃からなる略枠状両面粘着テープ、２ａ３＃、２ａ４＃、２ｂ３＃及び２ｂ４＃からなる略枠状両面粘着テープの計４つの略枠状両面粘着テープが形成される。
長尺シートＡ、長尺シートＢの各両面粘着テープの本数を例えば４本、６本、８本・・・というように増加させることにより、マトリックス状に略井の字形両面粘着テープを形成させ、多数の略枠状両面粘着テープが貼着された長尺シートを効率的に製造することができる。
【００５０】
請求項６に係る、略枠状両面粘着テープが貼着された長尺シートの製造方法は、
第１工程：
（ア）長尺基材シート上に、２本以上の両面粘着テープが、最終的に形成される略枠状両面粘着テープの対応する２つの枠辺の間隔に相当する間隔で並行に貼着された長尺シートＡ、または
（イ）長尺基材シート上に、最終的に形成される略枠状両面粘着テープの対応する２つの枠辺の間隔に相当する間隔を有する２本一組の両面粘着テープが任意の間隔で複数並行に貼着された長尺シートＡと、
（ウ）長尺基材シート上に、２本以上の両面粘着テープが、最終的に形成される略枠状両面粘着テープの対応する２つの枠辺の間隔に相当する間隔で並行に貼着されており、長さが長尺シートＡの幅程度である矩形シートＣ、または
（エ）長尺基材シート上に、最終的に形成される略枠状両面粘着テープの対応する２つの枠辺の間隔に相当する間隔を有する２本一組の両面粘着テープが任意の間隔で複数並行に貼着されており、長さが長尺シートＡの幅程度である矩形シートＣとを、
長尺シートＡの両面粘着テープが存在する面と矩形シートＣの両面粘着テープが存在する面とが向き合うように、かつ長尺シートＡの両面粘着テープと矩形シートＣの両面粘着テープの交差角度が略９０°となるように交差させる工程と、
第２工程：矩形シートＣを、長尺シートＡに圧接する工程と、
第３工程：長尺シートＡの最終的に形成される略枠状両面粘着テープの対応する２つの枠辺の間隔に相当する間隔で隣り合う２本の両面粘着テープと、前記矩形シートＣの最終的に形成される略枠状両面粘着テープの対応する２つの枠辺の間隔に相当する間隔で隣り合う２本の両面粘着テープと、からなる略井の字形両面粘着テープのうちの略ロの字部分の外周または外周と内周の中間部に、矩形シートＣを通して略ロの字状の切込みを入れる工程と、
第４工程：矩形シートＣのうちの該切込みの外側に存在する部分および該両面粘着テープのうちの該切込みの外側に存在する部分を除去する工程と、
からなることを特徴とする。
なお、前記第１工程（ア）、（ウ）において、「２本以上の両面粘着テープが、最終的に形成される略枠状両面粘着テープの対応する２つの枠辺の間隔に相当する間隔で並行に貼着された」における「対応する」は、第１工程における両面粘着テープと最終的に形成される枠辺の関係、つまり由来関係を示す。
前記第１工程（イ）、（エ）において、「最終的に形成される略枠状両面粘着テープの対応する２つの枠辺の間隔に相当する間隔を有する２本一組の両面粘着テープ」における「対応する」は、第１工程における両面粘着テープと最終的に形成される枠辺の関係、つまり由来関係を示す。
前記第３工程において、「最終的に形成される略枠状両面粘着テープの対応する２つの枠辺の間隔に相当する間隔で隣り合う２本の両面粘着テープ」における「対応する」は、第１工程〜第３工程における両面粘着テープと最終的に形成される枠辺の関係、つまり由来関係を示す。
【００５１】
請求項６、請求項９、請求項１０の略枠状両面粘着テープが貼着された長尺シートの製造方法（第５態様）について、図１０に基づいて詳細に説明する。
本第５態様は、請求項６、請求項９、請求項１０の略枠状両面粘着テープが貼着された長尺シートの製造方法において、長尺シートＡが（ア）であり、矩形シートＣが（ウ）である場合で、各長尺シートにおいて両面粘着テープの本数が３本であり、「隣り合う２本の両面粘着テープ」とその隣の「隣り合う２本の両面粘着テープ」は、真ん中の１本の両面粘着テープを共有している。真ん中の１本の両面粘着テープの幅は、外側の２本の両面粘着テープの幅より大きい。
【００５２】
本第５態様は、
第１工程：
（ア）長尺基材シート３ａ上に、３本の両面粘着テープ２ａ１、２ａ２３、２ａ４が、最終的に形成される略枠状両面粘着テープの対応する２つの枠辺の間隔に相当する間隔で並行に貼着された長尺シートＡと、
（ウ）矩形基材シート３ｃ上に、３本の両面粘着テープ２ｃ１’、２ｃ２３’、２ｃ４’が、最終的に形成される略枠状両面粘着テープの対応する２つの枠辺の間隔に相当する間隔で並行に貼着されており、長さが長尺シートＡの幅程度である矩形シートＣとを、
長尺シートＡの両面粘着テープ２ａ１、２ａ２３、２ａ４が存在する面と矩形シートＣの両面粘着テープ２ｃ１’、２ｃ２３’、２ｃ４’が存在する面とが向き合うように、かつ長尺シートＡの両面粘着テープ２ａ１、２ａ２３、２ａ４と矩形シートＣの両面粘着テープ２ｃ１’、２ｃ２３’、２ｃ４’の交差角度が略９０°となるように交差させる工程と、
第２工程：矩形シートＣを、長尺シートＡに圧接する工程と、
第３工程：長尺シートＡの最終的に形成される略枠状両面粘着テープの対応する２つの枠辺の間隔に相当する間隔で隣り合う２本の両面粘着テープ（２ａ１と２ａ２３や２ａ２３と２ａ４）と前記矩形シートＣの最終的に形成される略枠状両面粘着テープの対応する２つの枠辺の間隔に相当する間隔で隣り合う２本の両面粘着テープとからなる略井の字形両面粘着テープ（２ｃ１’と２ｃ２３’や２ｃ２３’と２ｃ４’）のうちの略ロの字部分の外周または外周と内周の中間部に、矩形シートＣを通して略ロの字状の切込み７を入れる工程と、
第４工程：矩形シートＣのうちの該切込み７の外側に存在する部分および該両面粘着テープ（２ａ１、２ａ２３、２ａ４、２ｃ１’、２ｃ２３’、２ｃ４’）のうちの該切込みの外側に存在する部分を除去する工程と、
からなる。
【００５３】
略井の字形両面粘着テープは、計４つ形成される。最終的には、２ａ１＃、２ａ２＃、２ｃ１＃及び２ｃ２＃からなる略枠状両面粘着テープ、２ａ３＃、２ａ４＃、２ｃ１＃及び２ｃ２＃からなる略枠状両面粘着テープ、２ａ１＃、２ａ２＃、２ｃ３＃及び２ｃ４＃からなる略枠状両面粘着テープ、２ａ３＃、２ａ４＃、２ｃ３＃及び２ｃ４＃からなる略枠状両面粘着テープの計４つの略枠状両面粘着テープが形成される。
【００５４】
長尺シートＡにおいて２ａ１と２ａ２３との間隔は、最終的に形成される略枠状両面粘着テープの対応する２つの枠辺（２ａ１＃と２ａ２＃）の間隔に相当する間隔である。
長尺シートＡにおいて２ａ２３と２ａ４との間隔は、最終的に形成される略枠状両面粘着テープの対応する２つの枠辺（２ａ３＃と２ａ４＃）の間隔に相当する間隔である。
矩形シートＣにおいて２ｃ１’と２ｃ２３’との間隔は、最終的に形成される略枠状両面粘着テープの対応する２つの枠辺（２ｃ１＃と２ｃ２＃）の間隔に相当する間隔である。
矩形シートＣにおいて２ｃ２３’と２ｃ４’との間隔は、最終的に形成される略枠状両面粘着テープの対応する２つの枠辺（２ｃ３＃と２ｃ４＃）の間隔に相当する間隔である。
【００５５】
本第５態様では、長尺シートＡの最終的に形成される略枠状両面粘着テープの対応する２つの枠辺の間隔に相当する間隔で隣り合う２本の両面粘着テープ（２ａ１と２ａ２３や２ａ２３と２ａ４）と、矩形シートＣの最終的に形成される略枠状両面粘着テープの対応する２つの枠辺の間隔に相当する間隔で隣り合う２本（２ｃ１’と２ｃ２３’や２ｃ２３’と２ｃ４’）の両面粘着テープとの各交差位置において、交差する２本の両面粘着テープが、該交差位置の内側辺に凹部（９ａ１、９ａ２、９ａ３、９ａ４、９ｃ１、９ｃ２、９ｃ３、９ｃ４）を有しており、略ロの字状の切込み７を入れる際に、交差する２本の両面粘着テープの重複部分、又は、交差する他の両面粘着テープ部分及び交差する２本の両面粘着テープの重複部分を含まないように略ロの字状の切込み７を入れている。
【００５６】
また、本第５態様では、長尺シートＡの最終的に形成される略枠状両面粘着テープの対応する２つの枠辺の間隔に相当する間隔で隣り合う２本の両面粘着テープ（２ａ１と２ａ２３や２ａ２３と２ａ４）、及び、長尺シートＢの最終的に形成される略枠状両面粘着テープの対応する２つの枠辺の間隔に相当する間隔で隣り合う２本の両面粘着テープ（２ｃ１’と２ｃ２３’や２ｃ２３’と２ｃ４’）のうちの１本（２ｃ１’や２ｃ４’）は、その外側辺であって他の長尺シートの両面粘着テープとの交差部間に凹部１０を有しており、略ロの字状の切込み７は突出片形成部７ａを有しており、略ロの字状の切込み７を入れる際に、略ロの字状の切込み７の突出片形成部７ａが該凹部１０の内に含まれるように切込みを入れている。
【００５７】
本第５態様では、各長尺シートにおいて両面粘着テープの本数が３本であるが、４本、５本、６本・・・というように増加させることにより、マトリックス状に略井の字形両面粘着テープを形成させ、多数の略枠状両面粘着テープが貼着された長尺シートを効率的に製造することができる。
【００５８】
請求項６、請求項９、請求項１０の略枠状両面粘着テープが貼着された長尺シートの製造方法（第６態様）について、図１１に基づいて詳細に説明する。
本第６態様は、第５態様と以下の事項以外同じである。
両面粘着テープ２ｃ１’の外側辺であって他の長尺シートの両面粘着テープとの交差部間に凹部１０は無く、その代わりに両面粘着テープ２ｃ２３’に矩形の穴１０’が存在し、略ロの字状の切込み７を入れる際に、略ロの字状の切込み７の突出片形成部７ａが該矩形の穴１０’の内に含まれるように切込みを入れる。
【００５９】
本発明の略枠状両面粘着テープが貼着された長尺シートの製造方法では、長尺シートＡと長尺シートＢの片方または両方を複数並行に並べて実施してもよい。また、長尺シートＡと矩形シートＣの片方または両方を複数並行に並べて実施してもよい。
【００６０】
本発明の液晶表示装置では、各略枠状両面粘着テープの枠辺の４隅のうちの少なくとも１つの隅で途切れている略枠状両面粘着テープにより、少なくとも２つの部材が粘着されている。また、本発明の液晶表示装置では、略枠状両面粘着テープの４本の枠辺のうちの少なくとも１本の枠辺が、他の枠辺とは、特性、形状及び材質のうちの少なくとも１つにおいて異なる略枠状両面粘着テープにより、少なくとも２つの部材が粘着されている。これら部材は、通常、矩形のフィルム状、シート状、板状、枠状、あるいはブロック状などであり、あるいは、矩形のフィルム状、シート状、板状、枠状、あるいはブロック状などの部材を、取り付ける箇所を有する成型体、筐体などである。
【００６１】
液晶表示装置は、一般的に図１２に示す液晶モジュールＥを有している。液晶モジュールＥは、液晶パネル１００とバックライトユニット１０１からなる。液晶パネル１００は、上側偏光板２１、液晶２２、下側偏光板２３等とからなり、液晶２２が上側偏光板２１、下側偏光板２３に挟まれている構造を有している。バックライトユニット１０１は、レンズシート２４、拡散シート２５、導光板２６、反射シート２７、モールド２８等からなる。液晶モジュールＥは、必要に応じて金属フレーム２９、３０により囲まれている。図１２では、モールド２８や反射シート２７と金属フレーム２９との間に略枠状両面粘着テープ１３が存在し、拡散シート２５とモールド２８との間に略枠状両面粘着テープ１４が存在し、レンズシート２４とモールド２８との間に略枠状両面粘着テープ１５が存在し、各部材間を粘着することにより固定している。液晶モジュールＥには、略枠状両面粘着テープ１３、１４も含まれる。
【００６２】
液晶表示装置において、略枠状両面粘着テープにより粘着される少なくとも２つの部材として、液晶モジュールと金属フレーム、液晶モジュールと液晶表示装置の筐体、液晶パネルとバックライトユニット、バックライトユニットと金属フレーム、レンズシートと拡散シート、レンズシートとレンズシート、拡散シートと拡散シート、拡散シートと導光板、導光板と導光板、光学フィルムと導光板、光学フィルムと光学フィルム、導光板とモールド、導光板と反射シート、反射シートと反射シート、レンズシートとモールド、拡散シートとモールド、光学フィルムとモールド、反射シートとモールド、モールドと金属フレーム、反射シートと金属フレーム、液晶表示装置の筐体とモールド、液晶表示装置の筐体と金属フレーム、カバーウィンドウと液晶表示装置の筐体、保護フィルムと液晶パネル、保護フィルムと保護フィルムが例示される。ここで、モールドとは、プラスチック若しくは金属の成型体である。光学フィルムとしては、ライティングカーテン(光スクリーン)、輝度向上フィルム、円偏光分離・再結合一体化フィルム、指向性光プレート、輝線防止層付き光学シート、レンズを埋設した光学フィルム、マット性高透過フィルム、波長変換機能付き光学フィルムが例示される。
【産業上の利用可能性】
【００６３】
本発明の略枠状両面粘着テープが貼着された長尺シートの製造方法は、両面粘着テープの廃棄量を少なくして生産性良く製造するのに有用である。本発明の略枠状両面粘着テープが貼着された長尺シートは、携帯電話、携帯式ゲーム機、デジタルカメラ等の小型〜中型の液晶表示装置及びその部品を製造するのに有用である。本発明の液晶表示装置は、携帯電話、携帯式ゲーム機やデジタルカメラ等の性能、品質向上、多様性向上に有用である。
【図面の簡単な説明】
【００６４】
【図１】本発明第１態様により製造されつつある略枠状両面粘着テープが貼着された長尺シートの平面図である。
【図２】長尺シートＡの断面であり、工程順の断面を示す図である。
【図３】工程ａ、工程ｂ、工程ｃを示す図である。
【図４】両面テープ同士の交差位置の１箇所をクローズアップした図である。
【図５】図４（ａ）〜（ｇ）の態様でできる略枠状両面粘着テープを示す図である。
【図６】外側辺の凹部または矩形の穴と略ロの字状の切込みの突出片形成部の関係を示す図である。
【図７】本発明第２態様により製造されつつある略枠状両面粘着テープが貼着された長尺シートの平面図である。
【図８】本発明第３態様により製造されつつある略枠状両面粘着テープが貼着された長尺シートの平面図である。
【図９】本発明第４態様により製造されつつある略枠状両面粘着テープが貼着された長尺シートの平面図である。
【図１０】本発明第５態様により製造されつつある略枠状両面粘着テープが貼着された長尺シートの平面図である。
【図１１】本発明第６態様により製造されつつある略枠状両面粘着テープが貼着された長尺シートの平面図である。
【図１２】金属フレームで囲まれている液晶モジュールＥの断面図である。
【符号の説明】
【００６５】
Ａ        長尺シート
Ｂ        長尺シート
Ｂ’      長尺シートＢ由来の矩形切断片
Ｅ        液晶モジュール
Ｐ        長尺シートＡと長尺シートＢとの交差位置
１ａ      剥離性フィルム
１ｂ      剥離性フィルム
２ａ１    長尺シートＡの両面粘着テープ
２ａ２    長尺シートＡの両面粘着テープ
２ａ３    長尺シートＡの両面粘着テープ
２ａ４    長尺シートＡの両面粘着テープ
２ａ１♯  最終的に形成される略枠状両面粘着テープの枠辺
２ａ２♯  最終的に形成される略枠状両面粘着テープの枠辺
２ａ３♯  最終的に形成される略枠状両面粘着テープの枠辺
２ａ４♯  最終的に形成される略枠状両面粘着テープの枠辺
２ｂ１    長尺シートＢの両面粘着テープ
２ｂ２    長尺シートＢの両面粘着テープ
２ｂ３    長尺シートＢの両面粘着テープ
２ｂ４    長尺シートＢの両面粘着テープ
２ｂ１’  長尺シートＢ由来の矩形切断片Ｂ’の両面粘着テープ
２ｂ２’  長尺シートＢ由来の矩形切断片Ｂ’の両面粘着テープ
２ｂ３’  長尺シートＢ由来の矩形切断片Ｂ’の両面粘着テープ
２ｂ４’  長尺シートＢ由来の矩形切断片Ｂ’の両面粘着テープ
２ｂ１♯  最終的に形成される略枠状両面粘着テープの枠辺
２ｂ２♯  最終的に形成される略枠状両面粘着テープの枠辺
２ｂ３♯  最終的に形成される略枠状両面粘着テープの枠辺
２ｂ４♯  最終的に形成される略枠状両面粘着テープの枠辺
２ｃ１’  矩形シートＣの両面粘着テープ
２ｃ２’  矩形シートＣの両面粘着テープ
２ｃ３’  矩形シートＣの両面粘着テープ
２ｃ４’  矩形シートＣの両面粘着テープ
２ｃ１♯  最終的に形成される略枠状両面粘着テープの枠辺
２ｃ２♯  最終的に形成される略枠状両面粘着テープの枠辺
２ｃ３♯  最終的に形成される略枠状両面粘着テープの枠辺
２ｃ４♯  最終的に形成される略枠状両面粘着テープの枠辺
３ａ      長尺シートＡ用の長尺基材シート
３ｂ      長尺シートＢ用の長尺基材シート
３ｃ      矩形シートＣ用の長尺基材シート
３ｂ♯    最終的に形成される略枠状両面粘着テープを覆っている剥離性シート
３ｃ♯    最終的に形成される略枠状両面粘着テープを覆っている剥離性シート
４        長尺シートＢの切断位置
５        カッター
６        略ロの字状刃物
７        略ロの字状刃物による切込み
７ａ      切込み７の突出片形成部
８        長尺シートＡの切断位置
９ａ１    長尺シートＡの両面粘着テープ２ａ１の凹部
９ａ２    長尺シートＡの両面粘着テープ２ａ２の凹部
９ａ３    長尺シートＡの両面粘着テープ２ａ３の凹部
９ａ４    長尺シートＡの両面粘着テープ２ａ４の凹部
９ｂ１    長尺シートＡの両面粘着テープ２ｂ１の凹部
９ｂ２    長尺シートＡの両面粘着テープ２ｂ２の凹部
９ｃ１    矩形シートＣの両面粘着テープ２ｃ１の凹部
９ｃ２    矩形シートＣの両面粘着テープ２ｃ２の凹部
９ｃ３    矩形シートＣの両面粘着テープ２ｃ３の凹部
９ｃ４    矩形シートＣの両面粘着テープ２ｃ４の凹部
１０      突出片用凹部
１０      矩形の穴
１１      突出片
１２      スプロケット穴
１３      略枠状両面粘着テープ
１４      略枠状両面粘着テープ
１５      略枠状両面粘着テープ
２１      上側偏光板
２２      液晶
２３      下側偏光板
２４      レンズシート
２５      拡散シート
２６      導光板
２７      反射シート
２８      モールド
２９      金属フレーム
３０      金属フレーム
３１      交差する両面粘着テープ
３１ｉ    交差する両面粘着テープ３１の該交差位置の内側辺
３１ｄ    交差する両面粘着テープ３１の凹部
３２      交差する両面粘着テープ
３２ｉ    交差する両面粘着テープ３２の該交差位置の内側辺
３２ｄ    交差する両面粘着テープ３２の凹部
３３      交差する２本の両面粘着テープの内側辺同士の交差点
３４      切込み位置
４０ａ    外側辺の凹部
４０ｂ    矩形の穴
４１      略ロの字状の切込み
４２      略ロの字状の切込み４１の突出片形成部
４３      両面粘着テープ
１００    液晶パネル
１０１    バックライトユニット
【図１】
2008285641.tif 000002
【図２】
2008285641.tif 000003
【図３】
2008285641.tif 000004
【図４】
2008285641.tif 000005
【図５】
2008285641.tif 000006
【図６】
2008285641.tif 000007
【図７】
2008285641.tif 000008
【図８】
2008285641.tif 000009
【図９】
2008285641.tif 000010
【図１０】
2008285641.tif 000011
【図１１】
2008285641.tif 000012
【図１２】
2008285641.tif 000013